(57)【要約】【課題】本発明は、扉体４に設けられた窓５に容易にカバー６を取り付けることができる機器収納用ラック１を提供することを目的としている。【解決手段】本発明に係る機器収納用ラック１は、カバー６には、窓部端縁をスライド移動可能であるガイド９と、扉体４に係止可能なフック８を設けると共に、扉体４には、フック８が突出及び係合可能である、係合穴７を設け、治具も必要なくカバー６を扉体４に容易に取り付けられ、また、内部機器の状態が確認できることを特徴とする。【選択図】　　　　図３
2004039796.tif 000002
【特許請求の範囲】
【請求項１】
開口を有する箱体本体に各種機器を収納し、前記箱体本体は、前面及び側面の一部にわたる開口を扉体で被覆する機器収納用ラックにおいて、前記扉体には、該扉体の形状に合わせて前面から側面まで二面にわたる窓を設け、該窓は前記扉体と同様に前面及び側面の一部にわたる形状のカバーで被覆することを特徴とする機器収納用ラック。
【請求項２】
前記機器収納用ラックにおいて、カバーには、前記窓部端縁をスライド移動可能であるガイドと、前記扉体に係止可能なフックを設けると共に、前記扉体には、前記フックが突出及び係合可能である、係合穴を設けることを特徴とする請求項１に記載の機器収納用ラック。
【発明の詳細な説明】
【０００１】
【発明の属する技術分野】
本発明は、開口を有する箱体本体に各種機器を収納し、箱体本体は、前面及び側面の一部を扉体で被覆する機器収納用ラックに関する。
【０００２】
【従来の技術】
従来技術における機器収納用ラックは、図７に示すように、扉体３１の前面３１ａにのみ窓３２が設けられていた。窓３２には、内部機器が透視できるようなアクリル等のカバー３３を取り付けていた。その取り付け方法は、図８に示すように、カバー３４の端部を粘着テープ３５で扉体３６に貼付していた。または、図９に示すように、扉体３７にスタッドボルト３８を立設し、カバー３９には取り付け穴４０を設け、スタッドボルト３８と取り付け穴４０を一致させ、ナット（図示せず）で締め付け固定していた。
【０００３】
【発明が解決しようとする課題】
しかしながら上記従来技術によれば、窓が扉体の前面にしか設けられていないので、側面部を見たい場合、扉体を開放しなくてはならなかった。また、ナットで締め付け固定した場合には、ボルト周辺の部分にのみ集中的に応力がかかり熱などによりアクリルが変形してしまう虞があった。
【０００４】
【課題を解決するための手段】
そこで本発明は、内部機器の状態が簡単に確認できる機器収納用ラックを提供することを目的とし、その構造は、扉体には、扉体の形状に合わせて前面から側面まで二面にわたる窓を設け、窓は扉体と同様に前面及び側面の一部にわたる形状のカバーで被覆することを特徴とする。
【０００５】
また、扉体に設けられた窓に容易にカバーを取り付けることができる機器収納用ラックを提供することを目的とし、その構造は、カバーには、窓部端縁をスライド移動可能であるガイドと、扉体に係止可能なフックを設けると共に、扉体には、フックが突出及び係合可能である、係合穴を設けることを特徴とする。
【０００６】
【発明の実施の形態】
本発明の請求項１に係る機器収納用ラックは、内部機器の動作状態等を扉体を開放することなしに確認できるようにするために、扉体の前面及び側面の一部に窓を設け、窓はアクリル等の透明なカバーで被覆する。窓が側面にまで張り出しているので、機器の側面部も扉体を開けずに確認することができる。
【０００７】
本発明の請求項２に係る機器収納用ラックは、扉体の前面及び側面の一部に設けられた窓を被覆するカバーの取り付け構造であって、カバーにはガイドとフックを、扉体にはフックに対向する係合穴を設け、カバーを窓に取り付ける際、カバーに設けられたガイドを窓の端縁に当て、スライド移動させながらフックを係合穴に係合させる。簡単な動作で、窓をカバーで被覆できる。
【０００８】
【実施例】
本発明の請求項１に係る機器収納用ラックの実施例を図１〜図２の添付図面に基づいて説明する。
【０００９】
機器収納用ラック１は、箱体本体２に各種機器を収納し、箱体本体２の前面２ａ及び側面２ｂの一部まで開口３を設ける。開口３は扉体４で被覆するが、扉体４も前面２ａ及び側面２ｂの二面にまたがる形状とする。
【００１０】
扉体４には、内部機器の動作状態などを外部から確認できるように、窓５を設ける。窓５は、扉体４の形状に合わせて、前面５ａ及び側面５ｂの二面にまたがる形状とする。窓５にはアクリル等の内部が透視できる透明のカバー６で被覆する。カバー６が機器収納用ラック１の前面まで張り出し、機器収納用ラック１を壁面に取り付けた場合でも、側面まで回り込まなくても、内部機器の動作状態等が確認できる。
【００１１】
本発明の請求項２に係る機器収納用ラックの実施例を図１〜図５の添付図面に基づいて説明する。
【００１２】
機器収納用ラック１は、箱体本体２に各種機器を収納し、箱体本体２の前面２ａ及び側面２ｂの一部まで開口３を設ける。開口３には扉体４を取り付けるが、扉体４も前面２ａ及び側面２ｂの二面にまたがる形状とする。
【００１３】
扉体４には、内部機器の動作状態などを外部から確認できるように、窓５を設ける。窓５は、扉体４の形状に対向させ、前面５ａ及び側面５ｂの二面にまたがる形状とする。扉体４の窓近傍、正面側に角穴７を設ける。窓５を被覆するカバー６も窓５の形状に合わせて、前面５ａ及び側面５ｂの二面にまたがる形状とする。扉体４に設けられた角穴７に対向する位置に、たわんで変形することにより角穴７に係合可能であるフック８と、扉体４の側面側に、窓周縁部を支持し且つスライド動作によりカバー６が移動可能であるガイド９とを設ける。また、カバー６を窓５に取り付けたとき、窓５の端部に当接される位置にストッパー１０を設けることもある。
【００１４】
窓５にカバー６を取り付けるには、機器収納用ラック１正面より、カバー６を窓５の周縁に当てガイド１０に沿ってスライド移動させる。カバー６の端部または、ストッパー１０が窓５の端部に当たったときにフック９は、角穴７に係合し固定される。
【００１５】
本発明に係る機器収納用ラックのカバー取り付け方法は、上記機器収納用ラックの正面よりカバーを窓に取り付ける方法に限定されるものではなく、図６に示すように、扉体１１の側面１１ａ側に角穴１２を形成し、カバー１３の前面１３ａ側にガイド１４を、側面１３ｂ側にフック１５を設け、カバー１３を機器収納用ラックの側面より窓１６に取り付けるようにしてもよく、本発明の趣旨を逸脱しない範囲において適宜変更可能である。
【００１６】
【発明の効果】
以上述べたように、本発明に係る機器収納用ラックは、扉体には、扉体の形状に合わせて前面から側面まで二面にわたる窓を設け、窓は扉体と同様に前面及び側面の一部にわたる形状のカバーで被覆するため、前面からも、側面からも、機器収納用ラックの内部が透視でき、内部機器の動作状態等を確認する場合に便利である。
【００１７】
また、カバーには、窓部端縁をスライド移動可能であるガイドと、扉体に係止可能なフックを設けると共に、扉体には、フックが突出及び係合可能である、係合穴を設けるため、従来のカバー取り付けに比べ、工数が大幅に削減できると共に、治具も不要となり、作業性が向上し、作業費の削減にもなる。また、従来のねじ取り付けと異なり、ガイドとフックにより軽視されているので、熱等でカバーが多少伸縮しても変形に至ることはない。
【図面の簡単な説明】
【図１】本発明の請求項１に係る機器収納用ラックを示す斜視図である。
【図２】本発明の請求項２に係る機器収納用ラックの扉体を示す斜視図である。
【図３】図２における機器収納用ラックの扉体要部拡大図である。
【図４】図２におけるガイドの拡大断面図である。
【図５】図２におけるフックの拡大断面図である。
【図６】本発明における機器収納用ラックの変形実施例を示す斜視図である。
【図７】従来技術における機器収納用ラックの斜視図である。
【図８】従来技術における機器収納用ラックの扉体の斜視図である。
【図９】従来技術における機器収納用ラックの扉体の斜視図である。
【符号の説明】
１　　　機器収納用ラック
２　　　箱体本体
２ａ　　前面
２ｂ　　側面
３　　　開口
４　　　扉体
５　　　窓
５ａ　　前面
５ｂ　　側面
６　　　カバー
７　　　角穴
８　　　フック
９　　　ガイド
１０　　ストッパー
【図１】
2004039796.tif 000003
【図２】
2004039796.tif 000004
【図３】
2004039796.tif 000005
【図４】
2004039796.tif 000006
【図５】
2004039796.tif 000007
【図６】
2004039796.tif 000008
【図７】
2004039796.tif 000009
【図８】
2004039796.tif 000010
【図９】
2004039796.tif 000011